(57)【要約】【課題】本発明は、表示体の引き抜きを阻止するための構造を簡単にすることができ、かつ乗場側からの保守点検作業を容易にすることができる乗場壁埋込式のエレベータのホールランタンを得ることを目的とするものである。【解決手段】第１の表示体１１は、遮蔽板１３を取付座６から取り外して開口部１ａから引き抜くことにより、遮蔽板１３が挿入されていたスペースである隣接空間側にスライド可能になっている。第１の表示体１１を隣接空間側にスライドさせると、上側のフック部６ｄが抜け止め溝１１ａの上端から抜け止め溝１１ａ外へ出て、下側のフック部６ｄが逃がし溝１１ｂの位置まで相対的に変位される。これにより、第１の表示体１１の乗場側への引き抜きが可能となる。【選択図】図４
2010228878.tif 000002
【特許請求の範囲】
【請求項１】
乗場壁に設けられた開口部に昇降路側から対向するように前記乗場壁に対して固定される取付座、
前記取付座に設けられた光源、
乗場側から前記開口部に挿入され、前記光源に対向する表示体、及び
前記表示体に隣接して乗場側から前記開口部に挿入され、かつ乗場側から取り外し可能に前記取付座に連結される挿入部材
を備え、
前記表示体と前記取付座との間には、前記表示体を前記取付座に機械的に係止させて前記表示体の乗場側への引き抜きを阻止する引き抜き阻止部が設けられており、
前記表示体は、前記挿入部材を前記取付座から取り外して前記開口部から引き抜くことにより、前記挿入部材が挿入されていた隣接空間側にスライド可能になっており、
前記表示体を前記隣接空間側にスライドさせることにより、前記引き抜き阻止部の係止状態が解除され前記表示体の乗場側への引き抜きが可能となることを特徴とするエレベータのホールランタン。
【請求項２】
前記引き抜き阻止部は、前記表示体及び前記取付座の一方に設けられたフック部と、前記表示体及び前記取付座の他方に設けられ、前記フック部が係止される係止部とを有し、
前記表示体及び前記取付座の他方には、前記隣接空間側にスライドされたときに前記フック部を逃がして前記表示体の乗場側への引き抜きを許容する逃がし溝が設けられていることを特徴とする請求項１記載のエレベータのホールランタン。
【請求項３】
前記光源は、上下に間隔をおいて配置された第１及び第２の光源を含み、
前記表示体は、前記第１の光源に対向する第１の表示体と、前記第２の光源に対向する第２の表示体とを含み、
前記挿入部材は、前記第１及び第２の表示体間に介在され、光を遮蔽する遮蔽板であることを特徴とする請求項１又は請求項２に記載のエレベータのホールランタン。
【請求項４】
前記乗場壁に固定されるボックスをさらに備え、
前記取付座は、前記ボックスに取り付けられており、
前記ボックスの奥行き方向への前記取付座の取付位置が調整可能になっていることを特徴とする請求項１から請求項３までのいずれか１項に記載のエレベータのホールランタン。
【発明の詳細な説明】
【技術分野】
【０００１】
この発明は、エレベータの乗場壁に設置されるホールランタンに関するものである。
【背景技術】
【０００２】
近年の建築デザインでは、表示体が乗場壁に直接取り付けられているようなタイプのホールランタンが好まれる傾向にある。このようなタイプの従来のエレベータのホールランタンでは、円筒状のケース部が乗場壁に埋め込まれ、このケース部に円筒状の表示体が嵌め合わされる。表示体の外周面には突起部が設けられており、ケース部の内周面には突起部が挿入されるガイド溝が設けられている。ガイド溝は、複数の縦溝部と、縦溝部間を繋ぐ複数の回転溝部とを組み合わせて構成されている（例えば、特許文献１参照）。
【先行技術文献】
【特許文献】
【０００３】
【特許文献１】特開２００６−１７６３１３号公報
【発明の概要】
【発明が解決しようとする課題】
【０００４】
上記のような従来のホールランタンでは、ガイド溝の形状が複雑であるため、ケース部のコストが高くなる。また、表示体の形状が円筒状に限られ、ケース部の開口が小さいため、乗場側からの保守点検作業が行い難く、作業性が低下する。
【０００５】
この発明は、上記のような課題を解決するためになされたものであり、表示体の引き抜きを阻止するための構造を簡単にすることができ、かつ乗場側からの保守点検作業を容易にすることができる乗場壁埋込式のエレベータのホールランタンを得ることを目的とする。
【課題を解決するための手段】
【０００６】
この発明に係るエレベータのホールランタンは、乗場壁に設けられた開口部に昇降路側から対向するように乗場壁に対して固定される取付座、取付座に設けられた光源、乗場側から開口部に挿入され、光源に対向する表示体、及び表示体に隣接して乗場側から開口部に挿入され、かつ乗場側から取り外し可能に取付座に連結される挿入部材を備え、表示体と取付座との間には、表示体を取付座に機械的に係止させて表示体の乗場側への引き抜きを阻止する引き抜き阻止部が設けられており、表示体は、挿入部材を取付座から取り外して開口部から引き抜くことにより、挿入部材が挿入されていた隣接空間側にスライド可能になっており、表示体を隣接空間側にスライドさせることにより、引き抜き阻止部の係止状態が解除され表示体の乗場側への引き抜きが可能となる。
【発明の効果】
【０００７】
この発明のエレベータのホールランタンは、挿入部材を取付座から取り外して開口部から引き抜くことにより、挿入部材が挿入されていた隣接空間側に表示体がスライド可能になり、表示体を隣接空間側にスライドさせることにより、引き抜き阻止部の係止状態が解除され表示体の乗場側への引き抜きが可能となるので、表示体や取付座に複雑な形状の溝を設ける必要がなく、表示体の引き抜きを阻止するための構造を簡単にすることができる。また、表示体を円筒状にしなくてもよいため、開口部の開口面積を大きくすることができ、乗場側からの保守点検作業を容易にすることができる。
【図面の簡単な説明】
【０００８】
【図１】この発明の実施の形態１によるエレベータのホールランタンを示す正面図である。
【図２】図１のホールランタンを示す側面図である。
【図３】図１のＩＩＩ−ＩＩＩ線に沿う断面図である。
【図４】図１のＩＶ−ＩＶ線に沿う断面図である。
【図５】図１のＶ−Ｖ線に沿う断面図である。
【図６】図１のＶＩ−ＶＩ線に沿う断面図である。
【図７】図１のＶＩＩ−ＶＩＩ線に沿う断面図である。
【図８】図１のＶＩＩＩ−ＶＩＩＩ線に沿う断面図である。
【図９】図３の取付座を示す斜視図である。
【図１０】図７の要部を拡大して示す断面図である。
【図１１】図６の遮蔽板を開口部から引き抜く様子を示す断面図である。
【図１２】図１１のばね部材を凹部外へ引き抜く途中の状態を示す断面図である。
【図１３】図１２のばね部材が凹部外へ引き抜かれた状態を示す断面図である。
【図１４】図４の遮蔽板を開口部から引き抜いた状態を示す断面図である。
【図１５】図１４の第１の表示体を着脱位置へスライドさせた状態を示す断面図である。
【図１６】図１５の第１の表示体を開口部から引き抜く途中の状態を示す断面図である。
【図１７】図１６の第１の表示体を開口部から引き抜いた後の状態を示す断面図である。
【図１８】図１７の第２の表示体を上方へスライドさせた状態を示す断面図である。
【図１９】図１８の第２の表示体を開口部から引き抜く途中の状態を示す断面図である。
【図２０】この発明の実施の形態２によるエレベータのホールランタンを示す正面図である。
【図２１】図２０のＸＸＩ−ＸＸＩ線に沿う断面図である。
【図２２】図２０のＸＸＩＩ−ＸＸＩＩ線に沿う断面図である。
【図２３】図２１の要部を拡大して示す断面図である。
【発明を実施するための形態】
【０００９】
以下、この発明を実施するための形態について、図面を参照して説明する。
実施の形態１．
図１はこの発明の実施の形態１によるエレベータのホールランタンを示す正面図、図２は図１のホールランタンを示す側面図、図３は図１のＩＩＩ−ＩＩＩ線に沿う断面図、図４は図１のＩＶ−ＩＶ線に沿う断面図、図５は図１のＶ−Ｖ線に沿う断面図、図６は図１のＶＩ−ＶＩ線に沿う断面図、図７は図１のＶＩＩ−ＶＩＩ線に沿う断面図、図８は図１のＶＩＩＩ−ＶＩＩＩ線に沿う断面図である。
【００１０】
図において、乗場壁１には、矩形の開口部１ａが設けられている。開口部１ａの昇降路側（図３の右側）の上下の縁部には、断面Ｌ字形の上部取付金具２及び下部取付金具３が固定されている。上部取付金具２と下部取付金具３との間には、直方体状のボックス４が取付ねじ５ａ，５ｂにより固定されている。ボックス４の乗場側端部（図３の左端部）は、全体が開口している。
【００１１】
ボックス４内には、取付座６が固定されている。取付座６は、ボックス４内の上部及び下部に固定されたスタッドボルト７ａ，７ｂにナット８ａ，８ｂを螺着することにより、ボックス４に固定されている。また、取付座６は、開口部１ａに昇降路側から対向するように乗場壁１に対して固定されている。
【００１２】
取付座６には、第１及び第２の光源９，１０が上下に間隔をおいて取り付けられている。第１及び第２の光源９，１０は、乗場側へ向けて光を照射する。
【００１３】
開口部１ａには、第１の光源９に対向する第１の表示体１１と、第２の光源１０に対向する第２の表示体１２とが上下に並べて挿入されている。第１及び第２の表示体１１，１２は、光を透過する材料により構成されている。
【００１４】
第１及び第２の表示体１１，１２間には、光を遮蔽する挿入部材としての遮蔽板１３が介在されている。遮蔽板１３は、第１及び第２の表示体１１，１２に隣接して乗場側から開口部１ａに挿入されている。開口部１ａは、乗場側から見て第１及び第２の表示体１１，１２と遮蔽板１３とにより覆われている。第１及び第２の表示体１１，１２は、遮蔽板１３を中心として上下に対称に配置されている。
【００１５】
図６に示すように、取付座６の上下方向の中間部（遮蔽板１３に対向する部分）には、弾性変形により幅寸法が縮小可能なばね部材１４が取り付けられている。遮蔽板１３の乗場とは反対側の端部には、ばね部材１４が挿入される凹部１３ａが設けられている。また、遮蔽板１３の乗場側端部の幅方向両端部には、開口部１ａの縁部との間に隙間を形成する段部（座ぐり）１３ｂが設けられている。
【００１６】
遮蔽板１３は、ばね部材１４を凹部１３ａ内に挿入することにより取付座６に連結されている。また、遮蔽板１３は、ばね部材１４を弾性変形させて凹部１３ａから引き抜くことにより、乗場側から取り外し可能になっている。
【００１７】
さらに、遮蔽板１３の開口部１ａから乗場側に露出している部分の幅寸法及び乗場壁１からの突出寸法は、第１及び第２の表示体１１，１２のそれらの寸法よりも小さい。即ち、乗場側から見て、遮蔽板１３の表面は第１及び第２の表示体１１，１２よりも引っ込んでおり、一般の利用者が遮蔽板１３を容易に引き抜くことはできない。
【００１８】
図９は図３の取付座６を示す斜視図である。取付座６は、開口部１ａに対向し光源９，１０が取り付けられる取付座本体６ａと、取付座本体６ａの上端部に設けられた上部固定部６ｂと、取付座本体６ａの下端部に設けられた下部固定部６ｃと、取付座本体６ａの幅方向両端部から乗場側へ突出した複数の帯状のフック部６ｄとを有している。
【００１９】
上部固定部６ｂには、スタッドボルト７ａが挿通される長孔６ｅが設けられている。下部固定部６ｃには、スタッドボルト７ｂが挿通される長孔６ｆが設けられている。これにより、ボックス４の奥行き方向への取付座６の取付位置が調整可能になっている
【００２０】
各フック部６ｄの先端部は、取付座６の内側へ向けて直角に折り曲げられている。図４に示すように、第１及び第２の表示体１１，１２の側面には、フック部６ｄの先端部が挿入され係止される係止部としての抜け止め溝１１ａ，１２ａが上下方向に沿って連続して設けられている。抜け止め溝１１ａ，１２ａの昇降路側の壁部の一部には、フック部６ｄの先端部が通過可能な幅の逃がし溝１１ｂ，１２ｂが設けられている。
【００２１】
図１０は図７の要部を拡大して示す断面図である。引き抜き阻止部１５は、フック部６ｄと抜け止め溝１１ａ，１２ａとからなり、第１及び第２の表示体１１，１２を取付座６に機械的に係止させて第１及び第２の表示体１１，１２の乗場側への引き抜きを阻止する。
【００２２】
第１の表示体１１は、遮蔽板１３を取付座６から取り外して開口部１ａから引き抜くことにより、遮蔽板１３が挿入されていたスペースである隣接空間側にスライド可能になっている。即ち、遮蔽板１３を取り外した状態において、第１の表示体１１は遮蔽板１３を抜く前の通常位置と第２の表示体１２の上面に当接する着脱位置との間で上下方向へスライド可能である。
【００２３】
また、第１の表示体１１を着脱位置へスライドさせると、抜け止め溝１１ａに係止されたフック部６ｄのうち、上側のフック部６ｄが抜け止め溝１１ａの上端から抜け止め溝１１ａ外へ出て、下側のフック部６ｄが逃がし溝１１ｂの位置まで相対的に変位される。これにより、第１の表示体１１に対する引き抜き阻止部１５の係止状態が解除され、第１の表示体１１の乗場側への引き抜きが可能となる。
【００２４】
さらに、第１の表示体１１が開口部１ａから引き抜かれると、第２の表示体１２の上方へのスライドが可能となる。そして、第２の表示体１２を所定量だけ上方へスライドさせると、抜け止め溝１２ａに係止されたフック部６ｄのうち、下側のフック部６ｄが抜け止め溝１２ａの下端から抜け止め溝１２ａ外へ出て、上側のフック部６ｄが逃がし溝１２ｂの位置まで相対的に変位される。これにより、第２の表示体１２に対する引き抜き阻止部１５の係止状態が解除され、第２の表示体１２の乗場側への引き抜きが可能となる。
【００２５】
次に、第１及び第２の表示体１１，１２を開口部１ａから引き抜く手順について詳細に説明する。まず、図１１に示すように、遮蔽板１３の段部１３ｂと乗場壁１との間にマイナスドライバ等の工具１６を差し込み、段部１３ｂと乗場壁１との間隔を拡げるようにして、遮蔽板１３を乗場側へ変位させる。そして、遮蔽板１３が第１及び第２の表示体１１，１２の表面よりも乗場側へ突出したら、遮蔽板１３を手で引き抜く。
【００２６】
このとき、凹部１３ａの入口の幅寸法が凹部１３ａ内の幅寸法よりも小さくなっているため、ばね部材１４は、図１２に示すように弾性変形した後、図１３に示すように凹部１３ａ外で復元される。
【００２７】
図１４に示すように、遮蔽板１３が開口部１ａから引き抜かれると、図１５に示すように、第１の表示体１１が自重により着脱位置まで下方へスライドされる。これにより、第１の表示体１１の引き抜きを阻止していたフック部６ｄのうち、上側のフック部６ｄが抜け止め溝１１ａの上端から抜け止め溝１１ａ外へ出て、下側のフック部６ｄが逃がし溝１１ｂの位置まで相対的に変位され、図１６に示すように、第１の表示体１１の引き抜きが可能となる。
【００２８】
第１の表示体１１を開口部１ａから引き抜くと、図１７に示すように、第２の表示体１２の上方のスペースが開放される。この状態から、図１８に示すように、第２の表示体１２を所定量だけ上方へスライドさせる。そして、図１９に示すように、第２の表示体１２を乗場側へ引き出す。なお、第１及び第２の表示体１１，１２及び遮蔽板１３を開口部１ａに挿入して取付座６に結合する手順は、上記の逆の手順となる。
【００２９】
このようなエレベータのホールランタンでは、遮蔽板１３を取付座６から取り外して開口部１ａから引き抜くことにより、第１及び第２の表示体１１，１２が上方又は下方へスライド可能になり、第１及び第２の表示体１１，１２をスライドさせることにより、引き抜き阻止部１５の係止状態が解除され第１及び第２の表示体１１，１２の乗場側への引き抜きが可能となるので、第１及び第２の表示体１１，１２や取付座６に複雑な形状の溝を設ける必要がなく、第１及び第２の表示体１１，１２の引き抜きを阻止するための構造を簡単にすることができる。
【００３０】
また、第１及び第２の表示体１１，１２に抜け止め溝１１ａ，１２ａ及び逃がし溝１１ｂ，１２ｂを設けるとともに、取付座６にフック部６ｄを設けるだけで、第１及び第２の表示体１１，１２を固定でき、構成部品の製作・加工が容易である。
【００３１】
さらに、第１及び第２の表示体１１，１２を円筒状にしなくてもよいため、開口部１ａの開口面積を大きくすることができ、乗場側からの保守点検作業を容易にすることができる。即ち、開口部１ａのサイズを、第１及び第２の表示体１１，１２を挿入するための開口を繋げたサイズとすることができ、ボックス４内の部品（例えば光源９，１０）の交換作業等を容易に行うことができる。
【００３２】
さらに、開口部１ａに挿入した状態では第１及び第２の表示体１１，１２が一体化しており、デザイン的にすっきりして見栄えが良い。
【００３３】
さらにまた、ボックス４の奥行き方向への取付座６の取付位置が調整可能になっているため、乗場壁１の仕上げ状態に合わせて取付座６の取付位置を調整することにより、第１及び第２の表示体１１，１２を乗場壁１に容易に密着させることができる。
【００３４】
また、遮蔽板１３の乗場側に露出している部分を、第１及び第２の表示体１１，１２の乗場側に露出している部分よりも一回り小さいサイズにしたので、いたずらにより遮蔽板１３が引き抜かれるのを防止することができる。
【００３５】
なお、実施の形態１では、取付座６にフック部６ｄを設けるとともに、第１及び第２の表示体１１，１２に抜け止め溝１１ａ，１２ａ及び逃がし溝１１ｂ，１２ｂを設けたが、逆であってもよい。即ち、表示体にフック部を設け、取付座に係止部を設けてもよい。
【００３６】
実施の形態２．
次に、図２０はこの発明の実施の形態２によるエレベータのホールランタンを示す正面図、図２１は図２０のＸＸＩ−ＸＸＩ線に沿う断面図、図２２は図２０のＸＸＩＩ−ＸＸＩＩ線に沿う断面図、図２３は図２１の要部を拡大して示す断面図である。
【００３７】
図において、取付座２１は、実施の形態１と同様にボックス４内に取り付けられており、ボックス４の奥行き方向への取付位置が調整可能となっている。開口部１ａには、第１の表示体２２、第２の表示体２３、及び挿入部材としての遮蔽板２４が挿入されている。
【００３８】
第１の表示体２２の上端部には、係止溝２２ａが設けられている。第２の表示体２３の下端部には、係止溝２３ａが設けられている。取付座２１には、係止溝２２ａ，２３ａに挿入されるフック部２１ａ，２１ｂが設けられている。引き抜き阻止部２５は、フック部２１ａ，２１ｂと係止溝２２ａ，２３ａとからなり、第１及び第２の表示体２２，２３を取付座２１に機械的に係止させて第１及び第２の表示体２２，２３の乗場側への引き抜きを阻止する。
【００３９】
取付座２１には、第１の表示体２２の下端部の背面と第２の表示体２３の上端部の背面とに当接して第１及び第２の表示体２２，２３のボックス４側への倒れを阻止する複数の当接部２１ｃが設けられている。
【００４０】
遮蔽板２４の乗場側端部の厚さ寸法（上下方向寸法）は、遮蔽板２４の取付座２１側の部分の厚さ寸法よりも大きくなっている。即ち、遮蔽板２４の断面形状は、図２１に示すようにＴ字形となっている。遮蔽板２４の取付座２１への取付構造は、実施の形態１と同様である。
【００４１】
第１の表示体２２の下端部及び第２の表示体２３の上端部には、つば部２２ｂ，２３ｂが設けられている。つば部２２ｂ，２３ｂは、遮蔽板２４の乗場側端部によって取付座２１側に押さえ付けられている。これによっても、第１及び第２の表示体２２，２３の開口部１ａからの引き抜きが阻止されている。他の構成は、実施の形態１と同様である。
【００４２】
次に、第１及び第２の表示体２２，２３を開口部１ａから引き抜く手順について説明する。まず、実施の形態１と同様に、工具１６（図１１）を用いて遮蔽板２４を乗場側に引き抜く。遮蔽板２４が開口部１ａから引き抜かれると、第１の表示体２２が自重により下方へスライドされる。これにより、第１の表示体２２の引き抜きを阻止していたフック部２１ａが係止溝２２ａから外れ、第１の表示体２２の引き抜きが可能となる。
【００４３】
第１の表示体２２を開口部１ａから引き抜くと、第２の表示体２２の上方のスペースが開放される。この状態から、第２の表示体２２を上方へ持ち上げると、フック部２１ｂが係止溝２３ａから外れ、第２の表示体２３の引き抜きも可能となる。なお、第１及び第２の表示体２２，２３及び遮蔽板２４を開口部１ａに挿入して取付座２１に結合する手順は、上記の逆の手順となる。
【００４４】
このようなエレベータのホールランタンによれば、実施の形態１に比べて、部品形状をより簡素化することができ、より安価に製作することが可能となる。
【００４５】
なお、実施の形態１、２では、２個の表示体を用いる例を示したが、例えば終端階に設置されるホールランタンのように、表示体を１個のみ用いるホールランタンにもこの発明は適用できる。
また、実施の形態１、２では挿入部材として遮蔽板を利用したが、遮蔽板とは別の部材を挿入部材として表示体の上下又は左右に隣接して挿入してもよい。
【符号の説明】
【００４６】
１  乗場壁、１ａ  開口部、４  ボックス、６，２１  取付座、６ｄ  フック部、９  第１の光源、１０  第２の光源、１１，２２  第１の表示体、１２，２３  第２の表示体、１１ａ，１２ａ  抜け止め溝（係止部）、１１ｂ，１２ｂ  逃がし溝、１３，２４  遮蔽板（挿入部材）。
【図１】
2010228878.tif 000003
【図２】
2010228878.tif 000004
【図３】
2010228878.tif 000005
【図４】
2010228878.tif 000006
【図５】
2010228878.tif 000007
【図６】
2010228878.tif 000008
【図７】
2010228878.tif 000009
【図８】
2010228878.tif 000010
【図９】
2010228878.tif 000011
【図１０】
2010228878.tif 000012
【図１１】
2010228878.tif 000013
【図１２】
2010228878.tif 000014
【図１３】
2010228878.tif 000015
【図１４】
2010228878.tif 000016
【図１５】
2010228878.tif 000017
【図１６】
2010228878.tif 000018
【図１７】
2010228878.tif 000019
【図１８】
2010228878.tif 000020
【図１９】
2010228878.tif 000021
【図２０】
2010228878.tif 000022
【図２１】
2010228878.tif 000023
【図２２】
2010228878.tif 000024
【図２３】
2010228878.tif 000025